【手続補正書】
【提出日】平成16年7月8日(2004.7.8)
【手続補正１】
【補正対象書類名】明細書
【補正対象項目名】特許請求の範囲
【補正方法】変更
【補正の内容】
【特許請求の範囲】
【請求項１】
生体内の平滑筋の少なくとも一部の局部活性を制御する装置であって、制御される平滑筋部分と接触させるのに適合した複数の電極；および前記電極に、その平滑筋において伝達する活動電位を発生しない電場となる電力を供給し、その電場が活性化シグナルに対する平滑筋の反応を改変する制御器を含んでなる装置。
【請求項２】
前記部分の電気的活性を検出する電気的活性センサーを含んでなり、前記制御器が前記センサーからのシグナルに応じて前記電極に電力を供給する、請求項１記載の装置。
【請求項３】
前記電極の各々における電力供給がその局部的な電気的活性に応答する、請求項２記載の装置。
【請求項４】
前記電気的活性センサーが前記の複数の電極のあるものを通じて電気的活性を検知する、請求項２記載の装置。
【請求項５】
前記の複数の電極のうち選択されたものの間の少なくとも1つのインピーダンスを検知するインピーダンスセンサーを含んでなる、請求項１記載の装置。
【請求項６】
前記の部分で機械的活性を検出する力変換器を含んでなり、前記制御器が前記センサーからのシグナルに応じて前記電極に電力を供給する、請求項1記載の装置。
【請求項７】
前記の機械的活性が一定の閾値を越える場合に、前記制御器が筋肉に阻害性電場をかける、請求項６記載の装置。
【請求項８】
前記電極の各々における電力供給がその局部的な機械的活性に応答する、請求項６記載の装置。
【請求項９】
前記の非刺激性電場が前記部分で機械的活性を阻害する、請求項１記載の装置。
【請求項１０】
前記の非刺激性電場が前記部分の収縮力を減じる、請求項１記載の装置。
【請求項１１】
前記の非刺激性電場が前記部分の収縮力を高める、請求項１記載の装置。
【請求項１２】
前記制御器が前記電極の少なくとも1つにおいて刺激性電場となる電力を供給する、請求項１記載の装置。
【請求項１３】
前記の複数の電極が二次元マトリックスで配列される、請求項１記載の装置。
【請求項１４】
前記制御器が前記の複数の電極の1つに選択的に電力を供給して、2つの垂直電場のうち1つを選択的に発生させる、請求項１記載の装置。
【請求項１５】
前記制御器が胃の内部に埋め込まれ、胃壁に取り付けられるのに適合している、請求項１ないし14のいずれか１項に記載の装置。
【請求項１６】
前記制御器が子宮の内部に埋め込まれ、子宮壁に取り付けられるのに適合している、請求項１ないし14のいずれか１項に記載の装置。
【請求項１７】
前記制御器が体内のGI管の一部の外側に埋め込まれるのに適合している、請求項１ないし14のいずれか１項に記載の装置。
【請求項１８】
前記制御器が体内の子宮の外側に埋め込まれるのに適合している、請求項１ないし14のいずれか１項に記載の装置。
【請求項１９】
前記制御器が子宮内の収縮頻度を決定し、前記制御器が決定されたその頻度に応じて前記電極に電力を供給する、請求項18記載の装置。
【請求項２０】
前記電極が弾性リード線を含んでなる、請求項18記載の装置。
【請求項２１】
前記電極が前記子宮の複数の離れた領域に取り付けられる、請求項18記載の装置。
【請求項２２】
前記制御器が実質的に子宮全体の機械的活性を検知し、かつ、阻害する、請求項21記載の装置。
【請求項２３】
前記制御器が実質的に子宮全体の収縮力を高める、請求項21記載の装置。
【請求項２４】
前記制御器が直腸に挿入するのに適合したカプセル状である、請求項１ないし14のいずれか１項に記載の装置。
【請求項２５】
前記電極が体内に埋め込むのに適合し、一方、前記制御器が体外に設置するのに適合している、請求項１ないし14のいずれか１項に記載の装置。
【請求項２６】
前記電極が体外から前記平滑筋から電源を切るのに適合している、請求項25記載の装置。
【請求項２７】
GI管の2つの部分を結ぶスリーブ部分；
ボタンの各側でGI管と電気的に接触させるのに適合した少なくとも2つの電極；および電極に電力を供給して、そのボタンの付近のGI管の収縮力を減じる制御器を含んでなる吻合ボタン。
【請求項２８】
前記制御器がボタンの一方の側のGI管からボタンの他方の側のGI管へペーシングシグナルを伝達する、請求項27記載の装置。
【請求項２９】
力を減じることが、ボタンの場所でGI管の電気的活性を阻害することを含んでなる、請求項27記載の装置。
【請求項３０】
腸における戻り波を阻害する装置であって、腸の一部に阻害性電場をかける少なくとも1つの電極；
腸における波の伝達を検知するセンサー；および検知された伝達波に応じて前記電極に電力を供給する制御器を含んでなる装置。
【請求項３１】
前記センサーが戻り波を検出する、請求項30記載の装置。
【請求項３２】
ボーラスを前進させる装置であって、前記ボーラスに隣接した第1のGI管の部分に電場をかける少なくとも１つの第 1の電極；
前記ボーラスから下流の第2のGI管の部分に電場をかける少なくとも1つの第2の電極；および第1の部分の収縮力を高める非刺激性電場によって少なくとも1つの第1の電 極に電力を供給し、かつ、第2の部分の筋肉を弛緩させる非刺激性電場によって少なくとも1つの第2の電極を電力を供給する制御器を含んでなる装置。
【請求項３３】
GI管の第1部分にボーラスの存在を検出するインピーダンスセンサーを含んでなる、請求項32記載の装置。
【請求項３４】
GI管内に進入させるのに適合した延長探針であって、先端部を有する延長本体；
少なくとも先端部に配置した複数の電極；および選択的に電極に電力を供給して、平滑筋の収縮に作用する非刺激性電場を与える制御器を含んでなる探針。
【請求項３５】
探針本体の少なくとも一部に沿って配置された第2の複数の電極を含んでなる、請求項34記載の探針。
【請求項３６】
前記制御器が第1の複数の電極に電力を供給し、前記GI管の部分に探針を選択的に進入、または後退させる、請求項34または請求項35記載の探針。
【請求項３７】
前記制御器が前記第1および第2の複数の電極の1つに電力を供給して、探針の先端部に隣接するGI管の部分からGI管の他の部分への活性化シグナルの伝達を阻害する、請求項34または請求項35記載の探針。
【請求項３８】
複数の個別カプセルを含んでなり、各カプセルが少なくとも1つの電極と、電極に電力を供給する電源を含み、その電極が局部的非刺激性電場をかける、平滑筋制御装置。
【請求項３９】
前記カプセルの各々が平滑筋の局部的活性を測定するセンサーを含む、請求項38記載の装置。
【請求項４０】
前記カプセルが、外部制御器が媒介することなくそれらの電極への電力供給を同期化するよう作用する、請求項38または請求項39記載の装置。
【請求項４１】
痙攣を治療する装置であって、外部分を有し、子宮内部に上手く埋め込まれるよう適合した軟質本体；
前記本体の外部に配置された複数の電極；および前記電極に電力を供給して非刺激性電場を発生させる制御器を含んでなる装置。
【請求項４２】
前記軟質本体に膨張性がある、請求項41記載の装置。
【請求項４３】
子宮外に設置されるのに適合した第2の電極を含んでなる、請求項41または請求項42記載の装置。
【請求項４４】
心臓を有する循環系を制御する装置であって、少なくとも1つの主要な血管の付近に配置された複数の電極；
血圧を測定する血圧センサー；および測定された血圧に応じて複数の電極に電力を供給する制御器を含んでなる装置。
【請求項４５】
前記制御器を作動させる外部制御を含んでなる、請求項44記載の装置。
【請求項４６】
心拍を検出するECGセンサーを含んでなる、請求項44または請求項45記載の装置。
【請求項４７】
前記制御器が前記血管を弛緩させて血圧を降下させる、請求項44または請求項45記載の装置。
【請求項４８】
前記制御器が前記血管を収縮させて血圧を上昇させる、請求項44または請求項45記載の装置。
【請求項４９】
腺の放出量を制御する装置であって、血流中の化学物質のレベルを測定するセンサー；
前記の腺に隣接した少なくとも1つの電極；および測定されたレベルに応じて前記電極に非刺激性電場となる電力を供給する制御器を含んでなる装置。
【請求項５０】
前記化学物質がグルコースである、請求項49記載の装置。
【請求項５１】
前記装置が完全に埋め込み可能である、請求項49記載の装置。
【請求項５２】
平滑筋器官に対する機械的活性化プロフィールを命令する装置であって、器官一面に配置されるのに適合した少なくとも3つの電極；器官の局部的な機械的活性を検知する少なくとも1つのセンサー；および検知された局部的な機械的活性に応じて、前記電極のうちの選択されたものに電力を供給し、器官に対する特定の活性化プロフィールを命令する制御器を含んでなる装置。
【請求項５３】
器官が子宮であり、活性化プロフィールが分娩中の収縮パターンである、請求項52記載の装置。